(57)【要約】【課題】塵取り作業を楽な姿勢で行なうことができ、しかも運搬、除雪等の他の使用目的にも利用できる可動式汎用塵取りを提供する。【解決手段】角度調整部９は、把手部８と可動壁４ｂを塵取り本体１の底壁２に対向して重ね合わさる位置と塵取り本体１の後壁４より後方へ延出した位置との間で使用目的に応じて所定角度に傾けた姿勢で固定可能である。【選択図】図６
2011224033.tif 000002
【特許請求の範囲】
【請求項１】
底壁、両側壁及び後壁に囲まれて前面から上面にわたって開放された収容部を形成する塵取り本体と、
前記塵取り本体の後壁面が底壁より起立する固定壁と該固定壁に対して回転軸を中心に回転可能に連繋する可動壁を備え、
前記固定壁若しくは両側壁に回転可能に軸支された車輪と、
前記可動壁に両側脚部が連結されたコ字状の把手部と、
前記可動壁を把手部と共に所定角度に傾けて任意の角度に固定可能な角度調整部と、を具備し、
前記角度調整部は、前記把手部と可動壁を塵取り本体の底壁に対向して重ね合わさる位置と塵取り本体の後壁より後方へ延出した位置との間で使用目的に応じて所定角度に傾けた姿勢で固定可能であることを特徴とする可動式汎用塵取り。
【請求項２】
前記角度調整部は、両側壁のロック位置に応じて複数箇所に設けられたロック孔と、いずれかのロック孔に対して嵌合する向きに常時付勢された１対のロックピンと、コ字状に形成された中空状の把手部内を周回して両端が各ロックピンに連結されたワイヤと、前記把手部に対して進退動することにより前記ワイヤに加わるテンションを変化させるレバーとを具備しており、前記レバーを押動することにより前記ワイヤのテンションを変化させてロックピンをロック孔から一時的に抜き差しすることにより前記塵取り本体に対する把手部と可動壁の組付け位置を変更する請求項１記載の可動式汎用塵取り。
【請求項３】
前記把手部と可動壁を固定壁に連続して起立させたまま角度調整部により固定することにより、前記塵取り本体は底壁先端縁部と車輪が共に接地することにより前傾姿勢で自立したまま使用可能である請求項１又は請求項２記載の可動式汎用塵取り。
【請求項４】
前記両側壁の後端部は後壁より後方に延設されており、当該延設部の後端部の延長線が前記車輪の接線となる側壁接地部が両側に形成されている請求項１乃至請求項３のいずれか１項記載の可動式汎用塵取り。
【発明の詳細な説明】
【技術分野】
【０００１】
本発明は、可動式汎用塵取りに関する。
【背景技術】
【０００２】
塵取りの一例として、蓋付で塵埃を塵取り本体内に確実に掃き込み、塵取りを持った状態で楽に移動できる塵取りが提案されている。これは箱型の塵取り本体に連結アームを介して回動可能に柄が連結されており、柄の回動動作に連動して塵取り本体の開口部を覆う蓋体を開閉するようになっている。塵取り本体の背面部には車輪と設置用脚部が設けられており、柄を持ち上げると塵取り本体の蓋体が閉じたまま車輪により前後に移動でき、車輪と設置用脚部を床面に接地することにより、塵取りを立てた状態で置いておくことができるようになっている（特許文献１）。
【先行技術文献】
【特許文献】
【０００３】
【特許文献１】特開２００６−１８０９８４号公報
【発明の開示】
【発明が解決しようとする課題】
【０００４】
上述した特許文献１の塵取りは、柄の回動に連動して蓋体を開閉して塵取り本体に塵埃を掃き入れて柄を持ち上げることで蓋を閉じて収納するようになっているため、収納する塵量や塵の大きさも限られる。
また、柄を斜め後方に傾倒させながら蓋体を開放して塵を掃き入れる必要があることから、掃き入れ作業は前傾姿勢、即ち屈んだ状態で行なわれるため、高齢者には無理な姿勢を強いられる。
また、塵取り本体に掃き入れた塵量が増えてくると、塵取り本体を床面に接地させるたびに塵が開口部側に逆流する。また塵を掃き入れた後は柄を床面に対して起立姿勢にするよう持ち上げなければ持ち運びすることができないため、腕力や脚力を要するため作業負担を伴う。
更には、塵取り本体と柄の角度を固定できないため、スコップ、運搬車或いはコンテナーなどの他の用途で使用することはできない。
【０００５】
本発明は、上記実情に鑑みてなされたものであり、塵取り作業を楽な姿勢で行なうことができ、しかも運搬、除雪等の他の使用目的にも利用できる可動式汎用塵取りを提供することにある。
【課題を解決するための手段】
【０００６】
本発明は上記目的を達成するため、次の構成を備えることを特徴とする。
底壁、両側壁及び後壁に囲まれて前面から上面にわたって開放された収容部を形成する塵取り本体と、前記塵取り本体の後壁が底壁より起立する固定壁と該固定壁に対して回転軸を中心に回転可能に連繋する可動壁を備え、前記固定壁若しくは両側壁に回転可能に軸支された車輪と、前記可動壁に両側脚部が連結されたコ字状の把手部と、前記可動壁を把手部と共に所定角度に傾けて任意の角度に固定可能な角度調整部と、を具備し、前記角度調整部は、前記把手部と可動壁を塵取り本体の底壁に対向して重ね合わさる位置と塵取り本体の後壁より後方へ延出した位置との間で使用目的に応じて所定角度に傾けた姿勢で固定可能であることを特徴とする。
【０００７】
また、前記角度調整部は、両側壁のロック位置に応じて複数箇所に設けられたロック孔と、いずれかのロック孔に対して嵌合する向きに常時付勢された１対のロックピンと、コ字状に形成された中空状の把手部内を周回して両端が各ロックピンに連結されたワイヤと、前記把手部に対して進退動することにより前記ワイヤに加わるテンションを変化させるレバーとを具備しており、前記レバーを押動することにより前記ワイヤのテンションを変化させてロックピンをロック孔から一時的に抜き差しすることにより前記塵取り本体に対する把手部と可動壁の組付け位置を変更することを特徴とする。
【０００８】
また、前記把手部と可動壁を固定壁に連続して起立させたまま角度調整部により固定することにより、前記塵取り本体は底壁先端縁部と車輪が共に接地することにより前傾姿勢で自立したまま使用可能であることを特徴とする。
【０００９】
また、前記両側壁の後端部は後壁より後方に延設されており、当該延設部の後端部の延長線が前記車輪の接線となる側壁接地部が両側に形成されていることを特徴とする。
【発明の効果】
【００１０】
上述した可動式汎用塵取りを用いれば、塵取り本体は前面から上面が開放され底壁面、両側壁面及び後壁面に囲まれた収容部が形成されているので、箒等で掃き取る塵埃のみならず剪定した枝、刈り取られた雑草或いは空き缶等の不燃物などの粗大塵なども収容することができるので、使い勝手が向上する。
また、角度調整部は、把手部と可動壁を塵取り本体の底壁に対向して重ね合わさる位置と塵取り本体の後壁より後方へ延出した位置との間で使用目的に応じて所定角度に傾けた姿勢で固定可能であるので、通常の塵取り以外の使用目的以外の用途に使用でき汎用性が向上する。
【００１１】
また、レバーを押動又は押動解除することによりロックピンとロック孔を抜き差しして塵取り本体に対する把手部と可動壁の組付け位置を変更可能に構成されているので、簡単な操作で使用目的に応じて塵取り本体に対する把手部と可動壁の組付け位置を変更して使用することができる。
【００１２】
例えば、把手部と可動壁を固定壁に連続して起立させたまま角度調整部により固定することにより、塵取り本体は底壁先端縁部と車輪が共に接地することにより前傾姿勢で自立したまま使用可能であるので、塵取りとして使用する際には屈む必要なく、移動する際には把手部を持って塵取り本体の底壁先端縁部を接地面より上げるだけで車輪により走行できるので、操作性、作業性が良く、高齢者や力の弱い者でも容易に作業が行える。
【００１３】
また、例えば、角度調整部によって把手部と可動壁を塵取り本体の後方へ所定角度傾けたまま固定することにより、把手部を把持したまま塵取り本体を接地することなく車輪により運搬可能な姿勢になるので、運搬車やコンテナーとして使用することも可能であり、或いはスノーダンプのように除雪用スコップとして使用することも可能になる。
【００１４】
或いは、両側壁の後端部は後壁面より後方に延設されており、当該延設部の後端部の延長線が前記車輪の接線となる側壁接地部が両側に形成されていると、側壁接地部と車輪を接地させることで、塵取り本体を接地面に起立させた状態で設置することができる。
塵取り本体を起立させる前に、把手部及び可動壁を塵取り本体に重なり合うように回転させて固定すると可動壁と固定壁が直角に折り曲げた状態となり、この状態で塵取りをコンパクトに収納しても良いし、固定壁を底部とみれば塵取り本体を塵箱や収納箱として使用することも可能になる。
【図面の簡単な説明】
【００１５】
【図１】可動式汎用塵取りの斜視図である。
【図２】図１の可動式汎用塵取りの正面透視図及びワイヤの配線図である。
【図３】図１の把手部に設けられたレバーの部分断面図である。
【図４】角度調整部の構造を示す部分断面図である。
【図５】把手部と塵取り本体の固定角度に応じた使用例を示す説明図である。
【図６】把手部と塵取り本体の固定角度に応じた使用例を示す説明図である。
【図７】把手部と塵取り本体の固定角度に応じた使用例を示す説明図である。
【図８】把手部と塵取り本体の固定角度に応じた使用例を示す説明図である。
【発明を実施するための形態】
【００１６】
以下、本発明に係る可動式汎用塵取りの実施形態について図面を参照しながら具体的に説明する。
図１において、塵取り本体１は、底壁２、両側壁３、及び後壁４に囲まれて前面から上面が開放された収容部５が形成されている。塵取り本体１の後壁４は、底壁２より起立する固定壁４ａと該固定壁４ａに対して回転軸６を中心に回転可能に連繋する可動壁４ｂを備えている。
【００１７】
図２（ａ）において、回転軸６は、固定壁４ａ及び両側壁３を貫通して回転可能に軸支されており、両軸端部に車輪７が一体に組み付けられている。尚、図５に示すように回転軸６は固定壁４ａのみに回転可能に軸支されていても良く、図示しないが両側壁３ａのみに回転可能に軸支されていても良い。また、回転軸６は、塵取り本体１を横切って架設される長軸ではなく、固定壁４ａの背面側に短軸で軸支されていても良い。また、車輪７の姿勢は固定に限らずキャスターのように回転軸６を支持するブラケットが回転自材に組み付けられていても良い。
【００１８】
また、図２（ａ）において、可動壁４ｂの両側には両側脚部８ａとハンドル部８ｂとでコ字状に形成された把手部８が両側脚部８ａによって一体に連結されている。把手部８は樹脂材、金属材これらの組み合わせなどが用いられ、中空パイプ状に形成されている。また、可動壁４ｂには角度調整部９が設けられている。角度調整部９は、後述するように可動壁４ｂを把手部８と共に所定角度に傾けて任意の角度に固定して使用できるようになっている。
【００１９】
通常の塵取りとして使用する場合には、図１に示すように角度調整部９は、後述するように把手部８と可動壁４ｂを固定壁４ａに連続して起立させたまま固定して、塵取り本体１は底壁面先端縁部２ａと車輪７が共に接地することにより前傾姿勢で自立したまま使用可能になっている（図６（ａ）参照）。よって、塵取りとして使用する際には屈む必要ななく、移動する際にはハンドル部８ｂを持って塵取り本体１の底壁面先端縁部２ａを接地面より上げるだけで車輪７により走行できるので、操作性、作業性が良く、高齢者や力の弱い者でも容易に作業が行える。
また、塵取り本体１は前面から上面にかけて開放されているので、箒等で掃き取る塵埃のみならず剪定した枝、刈り取られた雑草或いは空き缶等の不燃物などの粗大塵なども収容することができるので、使い勝手が良い。
【００２０】
角度調整部９は、把手部８と可動壁４ｂを塵取り本体１に対向して重ね合わさる位置と塵取り本体１の後方へ延出した位置との間で使用目的に応じて所定角度に傾けた姿勢で固定可能である。
【００２１】
具体的には、図２（ａ）において、塵取り本体１の両側壁３には、ロック位置に応じて複数箇所にロック孔３ａ（図１参照）が各々穿孔されている。両側壁３に設けられたいずれかのロック孔３ａには、一対のロックピン１０が各々嵌合可能に設けられている。コ字状に形成された中空状の把手部８内を周回するように一定のテンションを付与されてワイヤ１１が設けられており、可動壁４ｂで交差して両端が反対側端部のロックピン１０と各々連結されている。
【００２２】
図２（ｂ）に示すように、各ロックピン１０は、スプリング１２によっていずれかのロック孔３ａに対して嵌合する向きに常時付勢されており、このスプリング１２によってワイヤ１１にテンションを付与している。また、ハンドル部８ｂにはレバー１３が進退動可能に設けられている。図２（ａ）に示すレバー１３を押動操作することによりワイヤ１１に加わるテンションを変化させることができる。
【００２３】
図３において、中空状のハンドル８ｂの内部にはワイヤ１１が長手方向に張り巡らされている。レバー１３は抜止め部１４ａとワイヤ受け部１４ｂが対向して設けられている。ワイヤ受け部１４ｂはレバー１３の先端押圧部１３ａを収納する凹溝に形成されている。また、抜止め部１４ａはレバー１３の先端押圧部１３ａを抜止め支持している。このレバー１３を押動すると破線に示すようにワイヤ１１をワイヤ受け部１４ｂ内に押し込まれるため、ワイヤ１１のテンションが一時的に高くなる。また、レバー１３の押圧を解除することによりワイヤ１１は、図２（ｂ）に示すスプリング１２の弾性力で元の位置に戻ろうとする。これによりロックピン１０とロック孔３ａを抜き差しして塵取り本体１に対する把手部８と可動壁４ｂの組付け位置を変更可能に構成されている。
【００２４】
また、図５に示すように、塵取り本体１の両側壁３の後端部は後壁４より後方に延設されており、当該延設部の後端部の延長線Ｌが車輪７の接線となる側壁接地部３ｂが両側に形成されていても良い。
【００２５】
図４を参照して、角度調整部９の一例について詳述する。可動壁４ｂの両端部に設けられた回転ブロック４ｃが回転軸６を中心に回転可能に連繋している。この回転ブロック４ｃには、把手部８の脚部８ａが一体に嵌め込まれている。ロックピン１０は、回転ブロック４ｃを可動壁４ｂの長手方向沿って貫通して設けられている。
【００２６】
具体的には、図４に示すようにロックピン１０の可動壁４ｂの内側端部にはワイヤ１１がねじ１５により連結されている。また、回転ブロック４ｃの内側端部をくり抜いて形成された凹部４ｄ及びこれに蓋をする蓋体４ｅを貫通するようにロックピン１０が設けられている。ロックピン１０の先端部は回転ブロック４ｃより外側の側壁３のロック孔３ａに嵌め込まれている。凹部４ｄを貫通するロックピン１０にはＥリング１０ａが嵌め込まれ、該Ｅリング１０ａと蓋体４ｅとの間にスプリング１２が自然長より圧縮されて嵌め込まれている。このスプリング１２によって、ロックピン１０は常時側壁３のロック孔３ａに向かって付勢されている。また、回転ブロック４ｃには、把手部８を周回したワイヤ１１のガイド孔となるワイヤガイド４ｆが形成されている。
【００２７】
前述したレバー１３（図３参照）を押圧するとワイヤ１１がワイヤ受け部１４ｂに向けて撓ませるため一時的にテンションが高まる。このとき、図４において、スプリング１２が圧縮されて、ロックピン１０がロック孔３ａより引き抜かれて、レバー１３を押動したまま可動壁４ｂと把手部８が回転軸６を中心に任意の角度まで回転させることができる。そして、ロックピン１０が任意のロック孔３ａと位置が合致したときにレバー１３の押動を解除すれば、圧縮状態にあったスプリング１２の弾性力によりロックピン１０が側壁３に向かって突出してロック孔３ａに嵌り込むため、可動壁４ｂと把手部８を任意の位置に固定して使用することができる。
【００２８】
次に塵取り本体１に対して把手部８及び可動壁４ｂの角度を変えて使用する使用例について図５乃至図８を参照しながら説明する。尚、以下の説明では、後壁４の角度変化を明瞭に示すため、車輪７は固定壁４ａの背面側に回転可能に軸支されており、可動壁４ｂの回転軸１６は車輪７の回転軸６とは別個に設けられているものとする。
【００２９】
図５において、塵取り本体１に対して、把手部８及び可動壁４ｂを対向して重なり合うように回転させた状態（回転角０°）で固定する。
この状態では可動壁４ｂと固定壁４ａが直角に折り曲げた状態となり、側壁接地部３ｂと車輪７を接地させることで、塵取り本体１を接地面に起立させた状態で設置することができる。また、固定壁４ａを底部とみれば塵取り本体１を塵箱として使用することも可能になる。また、塵取りをコンパクトに収納することができ、車の荷台等に乗せて運搬することもできる。或いは、塵取り本体１にガーデニング用品や箒などを収納しておくこともできる。
【００３０】
次に、図６（ａ）（ｂ）において、把手部８と可動壁４ｂを固定壁４ａに連続する位置、即ち塵取り本体１の底壁２に対して起立させた状態（回転角９０°）で固定する。
図６（ａ）に示すように塵取り本体１は底壁先端縁部２ａと車輪が共に接地することにより前傾姿勢で自立したまま使用可能である。これにより、塵取りとして使用する際には屈む必要なく、移動する際には図６（ｂ）に示すように、作業者がハンドル部８ｂを持って塵取り本体１の底壁先端縁部２ａを接地面より上げるだけで車輪７により走行できるので、操作性、作業性が良く、高齢者や力の弱い者でも容易に作業が行える。
【００３１】
図７において、把手部８と可動壁４ｂを塵取り本体１の後方へ斜め４５°に傾けた延出した状態（回転角度１３５°）で固定する。
この状態では、ハンドル部８ｂを把持したまま運搬車やコンテナーとして使用することも可能であり、或いはスノーダンプのように除雪用スコップとして使用することも可能になる。
【００３２】
図８（ａ）（ｂ）において、把手部８と可動壁４ｂを塵取り本体１の後方へほぼ水平に延出した状態（回転角度１８０°）で固定する。
図８（ａ）に示すように、ハンドル部８ｂを把持したまま、塵取り本体１を底壁先端縁部２ａが接地する支点として前方に回転させて接地面に起立姿勢にすると、収容部５に収容した塵、或いは雪、泥等を排出することができる。
また、図８（ｂ）に示すように、把手部８と可動壁４ｂを塵取り本体１の後方へ延出したまま接地面に載置して、収容部５に収容した苗木等を植え替え作業することも可能である。
【００３３】
上述したように、角度調整部９によって把手部８と共に可動壁４ｂを所定角度に傾けて任意の角度に固定することで、塵取りやそれ以外の多目的に使用することもでき、使い勝手の良い可動式汎用塵取りを提供することができる。
尚、把手部８と可動壁４ｂの回転角度は、更に細かく角度設定できるようにすることも可能であり、車輪７の回転軸６と固定壁４ａと可動壁４ｂの回転軸１６は同一でも別個に設けることも任意である。
また、角度調整部９もロックピンとロック孔の嵌め合いで構成されていたが、これに限定されるものではなく、歯面や凹凸面どうしの嵌合など他の形態であっても良い。
【符号の説明】
【００３４】
１  塵取り本体
２  底壁
２ａ  底壁先端縁部
３  側壁
３ａ  ロック孔
３ｂ  側壁接地部
４  後壁
４ａ  固定壁
４ｂ  可動壁
４ｃ  回転ブロック
４ｄ  凹部
４ｅ  蓋体
４ｆ  ワイヤガイド
５  収容部
６，１６  回転軸
７  車輪
８  把手部
８ａ  脚部
８ｂ  ハンドル部
９  角度調整部
１０  ロックピン
１０ａ  Ｅリング
１１  ワイヤ
１２  スプリング
１３  レバー
１３ａ  先端押圧部
１４ａ  抜止め部
１４ｂ  ワイヤ受け部
１５  ねじ
【図１】
2011224033.tif 000003
【図２】
2011224033.tif 000004
【図３】
2011224033.tif 000005
【図４】
2011224033.tif 000006
【図５】
2011224033.tif 000007
【図６】
2011224033.tif 000008
【図７】
2011224033.tif 000009
【図８】
2011224033.tif 000010